(57)【要約】本発明は、負荷（６）のためのＰＷＭ出力電圧信号（４）を生成するためのシステム（２）であって、前記システム（２）は第１のハーフブリッジ（１２．１）及び第２のハーフブリッジ（１２．２）を有し、前記第１のハーフブリッジ（１２．１）は第１のスイッチ（１４．１）と第２のスイッチ（１４．２）との直列接続を有し、前記第２のハーフブリッジ（１２．２）は第３のスイッチ（１４．３）と第４のスイッチ（１４．４）との直列接続を有し、前記第１のハーフブリッジ（１２．１）及び前記第２のハーフブリッジ（１２．２）は前記第１及び第２のハーフブリッジ（１２．１、１２．２）にＤＣ電圧を供給するために第１のレール（１９．１）と第２のレール（１９．２）との間に接続され、利用時には、前記負荷（６）は前記第１のスイッチ（１４．１）及び前記第２のスイッチ（１４．２）の第１の接合（１８．１）と前記第３のスイッチ（１４．３）及び前記第４のスイッチ（１４．４）の第２の接合（１８．２）との間に接続され、前記システム（２）はまた、前記第１のハーフブリッジ（１２．１）のスイッチを切り換えるための少なくとも第１のＰＷＭスイッチ信号（２２．１）と前記第２のハーフブリッジ（１２．２）のスイッチを切り換えるための少なくとも第２のＰＷＭスイッチ信号（２２．２）とを生成するための制御ユニット（２０）を有し、前記制御ユニット（２０）は、前記ＰＷＭ出力電圧信号（４）のパルス幅を変化させるために、前記第１及び第２のＰＷＭスイッチ信号（２２．１、２２．２）のパルス幅及び／又は位相を互いに対して変化させるように構成されるシステム（４）において、ゼロのＰＷＭ出力電圧信号（４）を生成するために、前記制御ユニット（２０）は、前記第１のＰＷＭスイッチ信号（２２．１）のパルス幅及び位相のそれぞれと前記第２のＰＷＭスイッチ信号（２２．２）のパルス幅及び位相のそれぞれとが少なくとも略等しくなるように、前記第１のＰＷＭスイッチ信号（２２．１）及び前記第２のＰＷＭスイッチ信号（２２．２）を生成するように構成されるシステムに関する。
2005516575.tif 000002
【特許請求の範囲】
【請求項１】
負荷のためのＰＷＭ出力電圧信号を生成するためのシステムであって、前記システムは第１のハーフブリッジ及び第２のハーフブリッジを有し、前記第１のハーフブリッジは第１のスイッチと第２のスイッチとの直列接続を有し、前記第２のハーフブリッジは第３のスイッチと第４のスイッチとの直列接続を有し、前記第１のハーフブリッジ及び前記第２のハーフブリッジは前記第１及び第２のハーフブリッジにＤＣ電圧を供給するための第１のレールと第２のレールとの間に接続され、利用時には、前記負荷は前記第１のスイッチ及び前記第２のスイッチの第１の接合と前記第３のスイッチ及び前記第４のスイッチの第２の接合との間に接続され、前記システムはまた、前記第１のハーフブリッジのスイッチを切り換えるための少なくとも第１のＰＷＭスイッチ信号と前記第２のハーフブリッジのスイッチを切り換えるための少なくとも第２のＰＷＭスイッチ信号とを生成するための制御ユニットを有し、前記制御ユニットは、前記ＰＷＭ出力電圧信号のパルス幅を変化させるために、前記第１及び第２のＰＷＭスイッチ信号のパルス幅及び／又は位相を互いに対して変化させるように構成されるシステムにおいて、ゼロの前記ＰＷＭ出力電圧信号を生成するために、前記制御ユニットは、前記第１のＰＷＭスイッチ信号のパルス幅及び位相のそれぞれと前記第２のＰＷＭスイッチ信号のパルス幅及び位相のそれぞれとが少なくとも略等しくなるように、前記第１のＰＷＭスイッチ信号及び前記第２のＰＷＭスイッチ信号を生成するように構成されることを特徴とするシステム。
【請求項２】
前記制御ユニットは制御信号に基づいて前記第１のＰＷＭスイッチ信号及び前記第２のＰＷＭスイッチ信号を生成するように構成され、前記第１及び第２のＰＷＭスイッチ信号のそれぞれのデューティサイクルは前記制御信号の連続的な関数であることを特徴とする、請求項１に記載のシステム。
【請求項３】
前記制御ユニットは更に第３のＰＷＭスイッチ信号及び第４のＰＷＭスイッチ信号を生成するように構成され、前記第１のＰＷＭスイッチ信号と前記第３のＰＷＭスイッチ信号とは互いに対して反転された信号であり、前記第２のＰＷＭスイッチ信号と前記第４のＰＷＭスイッチ信号とは互いに対して反転された信号であり、利用時には、前記第１のＰＷＭスイッチ信号が前記第１のスイッチに供給され、前記第２のＰＷＭスイッチ信号が前記第３のスイッチに供給され、前記第３のＰＷＭスイッチ信号が前記第２のスイッチに供給され、前記第４のＰＷＭスイッチ信号が前記第４のスイッチに供給されることを特徴とする、請求項１又は２に記載のシステム。
【請求項４】
前記第１のＰＷＭスイッチ信号及び前記第２のＰＷＭスイッチ信号のデューティサイクルの合計は少なくとも本質的に１００％に等しく、利用時には、前記ＰＷＭ出力電圧信号を変化させるためには、前記第１及び第２のＰＷＭスイッチ信号のデューティサイクル及び／又は位相が互いに対して変化させられ、ゼロの前記ＰＷＭ出力電圧信号を生成するためには、前記第１及び第２のＰＷＭスイッチ信号のデューティサイクル及び位相は互いに等しいことを特徴とする、請求項１乃至３のいずれか一項に記載のシステム。
【請求項５】
前記第１のＰＷＭスイッチ信号のそれぞれのパルスの中心は、前記第２のＰＷＭスイッチ信号のそれぞれのパルスの中心に整合され、前記第１のＰＷＭスイッチ信号は第１の一定のデューティサイクルを持ち、利用時には、前記ＰＷＭ出力電圧信号を変化させるためには、前記第２のＰＷＭスイッチ信号のデューティサイクルは前記第１の一定のデューティサイクルに対して変化させられ、ゼロの前記ＰＷＭ出力電圧を生成するためには、前記第２のＰＷＭスイッチ信号のデューティサイクルは前記第１の一定のデューティサイクルと等しいことを特徴とする、請求項１乃至３のいずれか一項に記載のシステム。
【請求項６】
前記第１の一定のデューティサイクルは５０％であることを特徴とする、請求項５に記載のシステム。
【請求項７】
前記システムは第３のハーフブリッジ及び第４のハーフブリッジを有し、前記第３のハーフブリッジは第５のスイッチと第６のスイッチとの直列接続を有し、前記第４のハーフブリッジは第７のスイッチと第８のスイッチとの直列接続を有し、前記第３のハーフブリッジ及び前記第４のハーフブリッジは、前記第３のハーフブリッジ及び前記第４のハーフブリッジにＤＣ電圧を供給するための前記第１のレールと前記第２のレールとの間に接続され、電気モータの第１のコイルが前記第１の接合と前記第２の接合との間に接続され、前記電気モータの第２のコイルが前記第１の接合と前記第５のスイッチ及び前記第６のスイッチの第３の接合との間に接続され、前記電気モータの第３のコイルが前記第１の接合と前記第７のスイッチ及び前記第８のスイッチの第４の接合との間に接続されることを特徴とする、請求項１乃至６のいずれか一項に記載のシステム。
【請求項８】
請求項１乃至７のいずれか一項に記載のシステムの制御ユニット。
【発明の詳細な説明】
【技術分野】
【０００１】
本発明は、負荷のためのＰＷＭ出力電圧信号を生成するためのシステムであって、前記システムは第１のハーフブリッジ及び第２のハーフブリッジを有し、前記第１のハーフブリッジは第１のスイッチと第２のスイッチとの直列接続を有し、前記第２のハーフブリッジは第３のスイッチと第４のスイッチとの直列接続を有し、前記第１のハーフブリッジ及び前記第２のハーフブリッジは前記第１及び第２のハーフブリッジにＤＣ電圧を供給するための第１のレールと第２のレールとの間に接続され、利用時には、前記負荷は前記第１のスイッチ及び前記第２のスイッチの第１の接合と前記第３のスイッチ及び前記第４のスイッチの第２の接合との間に接続され、前記システムはまた、前記第１のハーフブリッジのスイッチを切り換えるための少なくとも第１のＰＷＭスイッチ信号と前記第２のハーフブリッジのスイッチを切り換えるための少なくとも第２のＰＷＭスイッチ信号とを生成するための制御ユニットを有し、前記制御ユニットは、前記ＰＷＭ出力電圧信号のパルス幅を変化させるために、前記第１及び第２のＰＷＭスイッチ信号のパルス幅及び／又は位相を互いに対して変化させるように構成されるシステムに関する。
【０００２】
更に本発明は、負荷のためのＰＷＭ出力電圧信号を生成するための前記システムの制御ユニットに関する。
【背景技術】
【０００３】
負荷のためのＰＷＭ出力電圧信号を生成するための前記システムは実際の実施より既知であり、例えば電気モータを駆動するために利用されることができ、ここでは前記負荷は前記電気モータのコイルである。
【０００４】
前記既知のシステムの第１のモードにおいては、第４のスイッチが導電状態にあり、第２及び第３のスイッチが非導電状態にある間、第１のスイッチが第１のＰＷＭスイッチ信号に依存して導電状態と非導電状態との間を切り換えるように、第１及び第２のＰＷＭスイッチ信号が生成される。当該第１のモードにおいては、前記第１のスイッチが導電モードである場合、電流は前記負荷を第１の方向に流れる。制御ユニットが、例えば前記第１のスイッチ信号を用いて前記第１のスイッチを切り換えることにより、電流を制御することができる。前記第１のＰＷＭスイッチ信号が「高」である場合、前記第１のスイッチは導電状態にあり、前記第１のＰＷＭスイッチ信号が「低」である場合、前記第１のスイッチは非導電状態にある。
【０００５】
前記既知のシステムの第２のモードにおいては、前記第３のスイッチが前記第２のＰＷＭスイッチ信号に依存して導電状態と非導電状態との間を切り換わる間、前記第１のスイッチ及び前記第４のスイッチが非導電状態にあり、前記第２のスイッチが導電状態にあるように、前記第1及び第２のＰＷＭスイッチ信号が生成される。当該第２のモードにおいては、前記第３のスイッチが導電状態にある場合、電流は前記負荷を前記第１の方向とは反対の第２の方向に流れる。前記制御ユニットが、前記第２のＰＷＭスイッチ信号を用いて前記第３のスイッチを切り換えることにより前記電流を制御することができる。前記第２のＰＷＭスイッチ信号が「高」である場合、前記第３のスイッチは導電状態にあり、前記第２のＰＷＭスイッチ信号が「低」である場合、前記第３のスイッチは非導電状態にある。
【０００６】
前記既知のシステムの第３のモードは、前記第１のモードと前記第２のモード及びその逆の間の遷移モードである。前記第３のモードにおいては、第１のレールと第２のレールとの間の短絡が防止されるように全てのスイッチが非導電状態にあるように、前記第１及び第２のＰＷＭスイッチ信号が生成される。
【発明の開示】
【発明が解決しようとする課題】
【０００７】
前記既知のシステムの不利点は、ゼロＰＷＭ出力電圧信号を生成するために、前記制御ユニットが前記第１のモードと前記第２のモードとの間で前記システムを切り換えるという点である。この結果、前記負荷を流れる電流は前記ＰＷＭ出力電圧信号のゼロ交差においてゼロではない。従って、前記ＰＷＭ出力電圧信号のゼロ交差領域において前記電流の平均値はゼロであっても、電流自身はゼロではない。ゼロでない電流は前記負荷における熱の発生に帰着し、前記負荷を損傷させ得る。
【０００８】
ハーフブリッジから負荷を切断するための付加的なスイッチを持つシステムを提供すること、又は現存するスイッチを非導電状態に切り換えることは単純な解決方法に思えるが、このことは新たな望ましくない不利点に導く。付加的なスイッチは高価なシステムをもたらし、ゼロのＰＷＭ出力電圧信号を生成するため全ての現存するスイッチをスイッチオフすることは複雑な制御ユニットをもたらす。
【０００９】
本発明の目的は、前記望ましくない新たな不利点なしに前記不利点に対処することにある。
【課題を解決するための手段】
【００１０】
この目的のため本発明は、負荷のためのＰＷＭ出力電圧信号を生成するためのシステムであって、ゼロの前記ＰＷＭ出力電圧信号を生成するために、前記制御ユニットは、前記第１のＰＷＭスイッチ信号のパルス幅及び位相のそれぞれと前記第２のＰＷＭスイッチ信号のパルス幅及び位相のそれぞれとが少なくとも略等しくなるように、前記第１のＰＷＭスイッチ信号及び前記第２のＰＷＭスイッチ信号を生成するように構成されることを特徴とするシステムを提供する。前記ＰＷＭ出力電圧信号のゼロ交差において、前記第１のＰＷＭスイッチ信号のパルス幅及び位相がそれぞれ前記第２のＰＷＭスイッチ信号のパルス幅及び位相と等しいため、前記負荷を流れる電流はゼロである。従って前記負荷は、前記ＰＷＭ出力電圧信号の前記ゼロ交差領域  において電気エネルギーを損失しない。かくして、本発明によるシステムは、エネルギーを節約するものであり、既知のシステムよりも消耗の影響を受けにくい。
【００１１】
本発明によるシステムの利点は、ノイズシェイピング（noise-shaping）の方法を提供するという点である。このことは以下のように説明されることができる。前記第１のスイッチ信号及び第２のスイッチ信号は、それぞれのスイッチ時点が前記ＰＷＭ出力電圧信号の前記ゼロ交差領域の異なる外部であるＰＷＭ信号である。前記第１のスイッチ信号と第２のスイッチ信号とが同一の第１の周波数を持つ場合、前記負荷にかかるＰＷＭ出力電圧信号は、前記第１の周波数の２倍に等しい第２の周波数を持つ。この周波数の２倍則はノイズシェイピングの機会を提供し、高い周波数のノイズはローパスフィルタによって容易にフィルタリングで除去されることができる。
【００１２】
本発明によるシステムの好適な実施例は、前記制御ユニットは制御信号に基づいて前記第１のＰＷＭスイッチ信号及び前記第２のＰＷＭスイッチ信号を生成するように構成され、前記第１及び第２のＰＷＭスイッチ信号のそれぞれのデューティサイクルは前記制御信号の連続的な関数であることを特徴とする。この好適な実施例においては、前記第１のスイッチ信号のデューティサイクルは前記制御信号の単調増加関数であり、前記第２のスイッチ信号のデューティサイクルは前記制御信号の単調減少関数であるか、又は前記第１のスイッチ信号のデューティサイクルは前記制御信号の単調減少関数であり、前記第２のスイッチのデューティサイクルは前記制御信号の単調増加関数であるかのいずれかとなる。どちらの方法においても、前記ＰＷＭ出力電圧信号のゼロ交差において、前記第１のＰＷＭスイッチ信号のデューティサイクルは常に前記第２のＰＷＭスイッチ信号のデューティサイクルと等しい。従って、前記ＰＷＭ出力電圧信号のゼロ交差において不連続性はない。このことの利点は、前記システムが高い線形特性を持つという点である。このことは、前記ＰＷＭ出力電圧信号のゼロ交差領域の内部及び外部の両方において、前記制御システムが前記第１及び第２のスイッチ信号を同一の方法で生成することができるという事実の結果である。
【００１３】
本発明によるシステムの実施例においては、前記制御ユニットは更に第３のＰＷＭスイッチ信号及び第４のＰＷＭスイッチ信号を生成するように構成され、前記第１のＰＷＭスイッチ信号と前記第３のＰＷＭスイッチ信号とは互いに対して反転された信号であり、前記第２のＰＷＭスイッチ信号と前記第４のＰＷＭスイッチ信号とは互いに対して反転された信号であり、利用時には、前記第１のＰＷＭスイッチ信号が前記第１のスイッチに供給され、前記第２のＰＷＭスイッチ信号が前記第３のスイッチに供給され、前記第３のＰＷＭスイッチ信号が前記第２のスイッチに供給され、前記第４のＰＷＭスイッチ信号が前記第４のスイッチに供給される。前記第１のスイッチ信号と前記第３のスイッチ信号とが互いに対して反転されるため、前記第１のハーフブリッジを介した前記第１のレールと前記第２のレールとの間の短絡が防止される。同様に、前記第２のハーフブリッジを介した前記第１のレールと前記第２のレールとの間の短絡が防止される。
【００１４】
本発明の高度な実施例は、前記システムが第３のハーフブリッジ及び第４のハーフブリッジを有し、前記第３のハーフブリッジは第５のスイッチと第６のスイッチとの直列接続を有し、前記第４のハーフブリッジは第７のスイッチと第８のスイッチとの直列接続を有し、前記第３のハーフブリッジ及び前記第４のハーフブリッジは、前記第３のハーフブリッジ及び前記第４のハーフブリッジにＤＣ電圧を供給するための前記第１のレールと前記第２のレールとの間に接続され、電気モータの第１のコイルが前記第１の接合と前記第２の接合との間に接続され、前記電気モータの第２のコイルが前記第１の接合と前記第５のスイッチ及び前記第６のスイッチの第３の接合との間に接続され、前記電気モータの第３のコイルが前記第１の接合と前記第７のスイッチ及び前記第８のスイッチの第４の接合との間に接続されることを特徴とする。前記制御ユニットは、前記第１のハーフブリッジ及び前記第２のハーフブリッジのためにと類似した方法で、前記第３のハーフブリッジ及び前記第４のハーフブリッジのためにスイッチ信号を生成することができる。該高度な実施例は、とりわけ例えばコンパクトディスクプレイヤにおける応用のために適している。かようなコンパクトディスクプレイヤにおいては、前記コンパクトディスクプレイヤのレーザユニットを駆動するためにモータが存在する。前記コンパクトディスクプレイヤ中のコンパクトディスクに対してレーザユニットをフォーカスさせるために第１のモータコイルが利用され、前記コンパクトディスクに対して半径方向に前記レーザユニットを動かすために第２のモータコイルが利用され、前記コンパクトディスクに対して前記レーザユニットを傾けるために第３のモータコイルが利用される。本高度な実施例によれば、前記レーザユニットの３つのモータコイルと本発明のシステムとの間に、４個のみの導線接続が為される必要がある。これら４個の導線接続は、前記レーザユニットのための実用的なサスペンションシステムとして利用されることができ、一方６個の導線接続は前記レーザユニットのためのサスペンションシステムの実現を困難にする。
【発明を実施するための最良の形態】
【００１５】
添付する図において、本発明の実行の特定のモードが説明の目的のために示される。
【００１６】
図１は、負荷６にかかるＰＷＭ（パルス幅変調、Pulse Width Modulation）出力電圧信号４を生成するためのシステム２を示す。本例においては、ＰＷＭ出力電圧信号４は制御信号８に基づいて生成される。前記システムは第１のハーフブリッジ１２．１及び第２のハーフブリッジ１２．２を有する。第１のハーフブリッジ１２．１は第１のスイッチ１４．１と第２のスイッチ１４．２との直列接続を有し、第２のハーフブリッジ１２．２は第３のスイッチ１４．３と第４のスイッチ１４．４との直列接続を有する。更にシステム２は、システム２の切り換え動作の間の短絡を防止するための「フリーホイーリングダイオード（free wheeling diode）」１６を有する。
【００１７】
システム２は、第１のスイッチ１４．１と第２のスイッチ１４．２との第１の接合１８．１、及び第３のスイッチ１４．３と第４のスイッチ１４．４との第２の接合１８．２を有する。第１の接合１８．１は第１のハーフブリッジ１２．１の第１の出力部として利用されることができ、第２の接合１８．２は第２のハーフブリッジ１２．２の第２の出力部として利用されることができる。本例においては、負荷６は第１の接合１８．１及び第２の接合１８．２と接続される。負荷６は、システム２によって制御されることができる、例えばモータのコイルであっても良い。
【００１８】
第１のハーフブリッジ１２．１と第２のハーフブリッジ１２．２との両方は、第１のハーフブリッジ１２．１と第２のハーフブリッジ１２．２にかかるＤＣ電圧を供給するために、第１のレール１９．１と第２のレール１９．２との間に接続される。本例においては、第１のレール１９．１は第１の電圧（Ｖ１）を持つＤＣ電源と接続され、第２のレール１９．２は第２の電圧（Ｖ２）を持つＤＣ電源と接続される。第１のスイッチ１４．１は第１の接合１８．１と第１のレール１９．１との間の接続を切り換えるために利用されることができ、第２のスイッチ１４．２は第１の接合１８．１と第２のレール１９．２との間の接続を切り換えるために利用されることができる。第３のスイッチ１４．３は第２の接合１８．２と第１のレール１９．１との間の接続を切り換えるために利用されることができ、第４のスイッチ１４．４は第２の接合１８．２と第２のレール１９．２との間の接続を切り換えるために利用されることができる。本例においては、前記スイッチはバイポーラ・トランジスタであるが、ＭＯＳＦＥＴ等のような多くの代替が存在する。
【００１９】
システム２は、前記スイッチを切り換えるためのＰＷＭスイッチ信号を生成するための制御ユニット２０を有する。制御ユニット２０は、第１のハーフブリッジ１２．１のための第１のＰＷＭスイッチ信号２２．１、及び第２のハーフブリッジ１２．２のための第２のＰＷＭスイッチ信号２２．２を生成することができる。制御ユニット２０は、ＰＷＭ出力電圧信号４のパルス幅を変化させるために、第１及び第２のＰＷＭスイッチ信号１２．１及び１２．２のパルス幅及び／又は位相を互いに対して変化させるように構成される。本例においては、第１のスイッチ１４．１を切り換えるために第１のスイッチ信号２２．１が第１のスイッチ１４．１に送られ、第３のスイッチ１４．３を切り換えるために第２のスイッチ信号２２．２が第３のスイッチ１４．３に送られる。各スイッチ信号は、対応するスイッチが導電状態にある高レベル（本例においては値１）、又は対応するスイッチが非導電状態にある低レベル（本例においては値０）であり得る。好ましくは、スイッチ信号２２．１及び２２．２は、制御信号８に基づいて生成される。とりわけ前記スイッチは、ＰＷＭ出力電圧信号４が入力信号８を表すように切り換えられる。
【００２０】
制御ユニット２０はまた、スイッチ１４．２のためのスイッチ信号２２．３及びスイッチ１４．４のためのスイッチ信号２２．４を生成する。本例においては、スイッチ信号２２．３は第１のＰＷＭスイッチ信号２２．１に対して反転させられ、そのため第１のハーフブリッジ１２．１を介した第１のレール１９．１と第２のレール１９．２との間の短絡は防止される。更に、第２のハーフブリッジ１２．２を介した短絡を防止するため、ＰＷＭスイッチ信号２２．４はスイッチ信号２２．２に対して反転させられる。
【００２１】
図２は、本発明のシステムの第１の実施例による、第１及び第２のＰＷＭスイッチ信号２２．１及び２２．２並びに対応するＰＷＭ出力電圧信号４の例を示す模式的な図である。図２は、５つの座標系２４．ｊ（ｊ＝１,・・・,５）を有する。前記座標系のそれぞれの水平軸は時間を表す（全ての座標系は任意の単位の同一の縮尺上にある）。各座標系の垂直軸は、対応する信号の大きさを表す。
【００２２】
座標系２４．１は、幅［Ｍ１,Ｍ２］中を変化する制御信号８を示す。更に座標系２４．１は補助ランプ（ramp）信号２６を示す。
【００２３】
座標系２４．２は、第１のスイッチ信号２２．１を示す。第１のスイッチ信号２２．１は、制御信号８及び補助ランプ信号２６に基づいて、前記制御ユニットによって生成される。制御信号８は反転され、次いで補助信号２６と交差し（座標系２４．１を参照）、第１の交差点群に帰着する。これら交差点群は、第１のスイッチ信号２２．１の切り換え時点を規定する。スイッチ信号２２．１は、低レベル０（スイッチ１４．１は非導電状態）と高レベル１（スイッチ１４．１は導電状態）との間を切り換わる。スイッチ信号２２．１が１である場合、第１の接合１８．１は第１のレール１９．１の第１の電圧（Ｖ１）レベルにある。スイッチ信号２２．１が０である場合、第１の接合１８．１は第２のレール１９．２の第２の電圧（Ｖ２）レベルにある（本例については、ＰＷＭスイッチ信号２２．３はＰＷＭスイッチ信号２２．１に対して反転させられるためスイッチ１４．２のためのスイッチ信号２２．３は高レベル１に等しい）。
【００２４】
座標系２４．３は、第２のスイッチ信号２２．２を示す。第２のスイッチ信号２２．２は、制御信号８を補助信号２６により交差させることにより、制御ユニット２０によって生成される。当該交差は、第２の交差点群に帰着する。次いで、これら第２の交差点群は、第２のスイッチ信号２２．２の切り換え時点を規定する。スイッチ信号２２．２は、０（スイッチ１４．３は非導電状態）と１（スイッチ１４．３は導電状態）との間を切り換わる。スイッチ信号２２．２が１である場合、第２の接合１８．２は第１のレール１９．１の第１の電圧（Ｖ１）にある。スイッチ信号２２．２がゼロである場合、第２の接合１８．２は第２のレール１９．２の第２の電圧（Ｖ２）にある（本例については、スイッチ１４．４のためのスイッチ信号２２．４は、ＰＷＭスイッチ信号２２．２の反転されたバージョンである）。
【００２５】
制御ユニット２０はスイッチ信号２２．ｉ（ｉ＝１,・・・,４）をシステム２に送り、座標系２４．４において示されるＰＷＭ出力電圧信号４をもたらす。前記ＰＷＭ出力電圧信号は、前記第１の電圧（Ｖ１）と前記第２の電圧（Ｖ２）との間を変化する。座標系２４．４から、前記ＰＷＭ出力電圧信号４がゼロである場合、第１のＰＷＭスイッチ信号２２．１のそれぞれパルス幅及び位相、並びに第２のＰＷＭスイッチ信号２２．４のそれぞれパルス幅及び位相は、少なくとも略、等しいことがわかる。ＰＷＭ出力電圧信号４は、負荷６を通る電流２７に帰着する。電流２７は座標系２４．５に示される。座標系２４．５より、負荷６を流れる電流２７は、ＰＷＭ出力電圧信号４のゼロ交差においてゼロであることが明らかとなる。かくして前記ゼロ交差においては、モータにおける熱の発生はない。
【００２６】
図２に示された本発明の重要な側面は、ＰＷＭ出力電圧４及び電流２７の周波数が、ＰＷＭスイッチ信号２２．１及び２２．２の周波数に対して２倍にされるという点である。このことは、非常に効果的なノイズシェイピングのための機会を提供する。
【００２７】
本発明の他の側面は、本発明によるシステム２は非常に線形であるという点である。このことは、ＰＷＭ出力電圧信号４のゼロ交差の内部と外部とで異なる振る舞いがないという事実の結果である。本例においては、スイッチ信号２２．１、２２．２、２２．３及び２２．４のデューティサイクルは制御信号８の連続関数であり、前記ゼロ交差において不連続性を持たない。
【００２８】
図２におけるＰＷＭスイッチ信号２２．１及び２２．２を説明する他の方法は以下のとおりである。第１のＰＷＭスイッチ信号２２．１及び第２のＰＷＭスイッチ信号２２．２のデューティサイクルの合計は、少なくとも本質的に１００％に等しい。ＰＷＭ出力電圧信号４を変化させるためには、第１及び第２のＰＷＭスイッチ信号２２．１及び２２．２のデューティサイクル及び／又は位相は互いに変化させられる。ここでゼロのＰＷＭ出力電圧信号４を生成するためには、前記第１及び第２のＰＷＭスイッチ信号のデューティサイクル及び位相は互いに等しい。
【００２９】
図３Ａは、本発明によるシステムの第２の実施例の第１の例を示す。図３Ａは、それぞれ制御信号８、第１のスイッチ信号２２．１、第２のスイッチ信号２２．２及びＰＷＭ出力電圧信号４を有する４つの座標系２８．ｋ（ｋ＝１,・・・、４）を有する。スイッチ信号２２．１及び２２．２は、制御信号８に基づいて制御ユニット２０によって生成される。制御信号８は、本例においては直線である。座標系２８．２及び２８．３は、ＰＷＭ出力電圧信号４のゼロ交差（ｔ＝０）の周囲の領域において、スイッチ信号２２．１と２２．２とが同一であることを示す（図２における状況と類似する）。その結果、入力信号８のゼロ交差において、電流は負荷６を流れない。更に図３Ａより、スイッチ信号２２．１のデューティサイクルは制御信号８の単調関数であることがわかる。
【００３０】
図３Ｂは、本発明によるシステムの第２の実施例の第２の例を示す。図３Ｂは、それぞれ制御信号８、第１のスイッチ信号２２．１、第２のスイッチ信号２２．２及びＰＷＭ出力信号４を有する４つの座標系３０．ｋ（ｋ＝１,・・・,４）を有する。スイッチ信号２２．１及び２２．２は、制御信号８に基づいて制御ユニット２０によって生成される。制御信号８は、本例においては正弦波である。座標系２８．２及び２８．３は、ＰＷＭ出力電圧信号４のｔ＝０におけるゼロ交差の周囲の領域において、スイッチ信号２２．１と２２．２とが同一であることを示す（図２における状況と類似する）。その結果、ＰＷＭ出力電圧信号４のゼロ交差において、電流は負荷６を流れない。更に図３Ｂより、スイッチ信号２２．１のデューティサイクルが制御信号８により変調されることがわかる。
【００３１】
図３Ａ及び３Ｂにおけるスイッチ信号２２．１及び２２．２を説明する他の方法は以下のとおりである。第１のＰＷＭスイッチ信号２２．１のそれぞれのパルスの中心は、第２のＰＷＭスイッチ信号２２．２のそれぞれのパルスの中心に整合される。第１のＰＷＭスイッチ信号２２．１は一定のデューティサイクル５０％を持つ。ＰＷＭ出力電圧信号４を変化させるためには、第２のＰＷＭスイッチ信号２２．２のデューティサイクルは第１のＰＷＭスイッチ信号２２．１のデューティサイクルに対して変化させられる。ここでゼロのＰＷＭ出力電圧４を生成するためは、前記第２のＰＷＭスイッチ信号のデューティサイクルは、前記第１のＰＷＭスイッチ信号のデューティサイクルと等しい。
【００３２】
図４は本発明のシステム２の実施例を示す。システム２は第３のハーフブリッジ１２．３及び第４のハーフブリッジ１２．４を有し、第３のハーフブリッジ１２．３は第５のスイッチ１４．５と第６のスイッチ１４．６との直列接続を有し、第４のブリッジ１２．４は第７のスイッチ１４．７と第８のスイッチ１４．８との直列接続を有する。第３のハーフブリッジ１２．３及び第４のハーフブリッジ１２．４は、第３のハーフブリッジ１２．３及び第４のハーフブリッジ１２．４にかかるＤＣ電圧を供給するための、第１のレール１９．１と第２のレール１９．２との間に接続される。更に、電気モータの第１のモータコイル６．１が第１の接合１８．１と第２の接合１８．２との間に接続され、前記電気モータの第２のコイル６．２が第１の接合１８．１と第５のスイッチ１４．５及び第６のスイッチ１４．６の第３の接合１８．３との間に接続され、前記モータの第３のモータコイル６．３が第１の接合１８．１と第７のスイッチ１４．７及び第８のスイッチ１４．８の第４の接合１８．４との間に接続される。３つの前記モータコイルは、例えばコンパクトディスクプレーヤにおいてコンパクトディスクに対してレーザユニットを操縦する（フォーカスの移動、傾きの回転、及び半径方向の移動）ために利用されても良い。
【００３３】
図４に示されるように、接合１８．１は共通の導線３２を介してコイル６．ｐの第１の接続部に接続され、コイル６．ｐの第２の接続部は接合１８．（ｐ＋１）にのみ接続される。ここでｐ＝１,２,３である。このようにして、制御ユニット２０（図４には示されていない）は、モータコイル６．ｐ（ｐ＝１,２,３）を独立に制御することができる。これにより、４つの接続導線のみが、電気ブリッジ１０と前記コイルとの間に利用される必要がある。このことは単純な構成を可能とし、ここでは前記導線は前記レーザユニットのためのサスペンションユニットとして利用される。
【００３４】
本発明は幾つかの実施例に従って説明された。しかしながら本発明は、本発明の精神又は範囲から逸脱することなく、特に説明されたものとは別な方法で実施化されることができることは留意されるべきである。
【図面の簡単な説明】
【００３５】
【図１】本発明によるシステムの模式的な図である。
【図２】本発明のシステムの第１の実施例による第１及び第２のスイッチ信号並びに対応するＰＷＭ出力電圧信号の例を示す模式的な図である。
【図３（Ａ）】本発明のシステムの第２の実施例による第１及び第２のスイッチ信号並びに対応するＰＷＭ出力電圧信号の第１の例を示す模式的な図である。
【図３（Ｂ）】本発明のシステムの第２の実施例による第１及び第２のスイッチ信号並びに対応するＰＷＭ出力電圧信号の第２の例を示す模式的な図である。
【図４】コンパクトディスクプレイヤにおける応用に適した本発明によるシステムの実施例の模式的な図である。
【図１】
2005516575.tif 000003
【図２】
2005516575.tif 000004
【図３Ａ】
2005516575.tif 000005
【図３Ｂ】
2005516575.tif 000006
【図４】
2005516575.tif 000007
【国際調査報告】
2005516575.tif 000008
2005516575.tif 000009